(57)【要約】【課題】小型電池は、指の太い人や高齢者にとっては扱い難いものである。特に補聴器については、本体が非常に小さく、電池も小さいものがあり取扱いに難儀するので、使用者に小型電池の取り扱い易い工具を提供する。【解決手段】二本のハンドルが一端で連結し、他端は幅の小さい挟み部で自由面とし、挟み部には永久磁石を取り付け、ハンドルは手が若干不自由な人でも扱える程度の長さと幅を持ち、ハンドルの外側に永久磁石を取り付けた電池吸引部があり、その吸引部の磁石で取り上げた電池を指で位置を調整して挟み部間に挟み、補聴器のような用具の所定の電池受容部の上で電池を離し電池受容部に装着したり、電池残量測定器に置いたりすることを容易にする。【選択図】図１
2008254176.tif 000002
【特許請求の範囲】
【請求項１】
小型電池を取り扱う為の工具で、二本のハンドルが一端で連結し、先端は幅の小さい挟み部で自由面とし、挟み部には永久磁石を埋め込み、ハンドルは人の手で扱い易い程度の長さと幅を持ち、ハンドルの外側に永久磁石を取り付けた電池吸引部があり、その吸引部で取り寄せた電池を指で位置を調整して挟み部に挟み、補聴器のような機器の電池受容部の上で電池を離し電池受容部に挿入させたり、電池残量測定器に置いたりすることが容易にできることを特徴とする工具。
【請求項２】
ハンドルの側面の永久磁石はやや大きめにして、平面上にある電池を吸い付け、手元にたぐり寄せることができるようにする。なお、この永久磁石は、使い易いように、ハンドルの最適位置に配置することができ、且つ、ハンドルの両側面に取り付けることもできる。
【請求項３】
工具本体は、非磁性体の可塑性材料であるプラスチック製とし、永久磁石を所定の位置に埋め込むか、接着により取り付け、更に工具の角部は、すべて尖った部分を丸くし、使用者が怪我をしないようにする。
【請求項４】
一つの工具で、寸法の異なる電池に対応するため、ハンドル間にスペーサを咬ませ、挟み幅を調整することができる。或いは、電池の寸法毎の工具を作ることもできる。
【請求項５】
スペーサを装着したときの安定性を増進するため、スペーサ止めをハンドルに成形し、そのスペーサ止めに切り込みを入れ、スペーサのスペーサ止めに当たる部分は切り込みに嵌合するように成形する。
【請求項６】
簡素化するため、補聴器用の電池では使い勝手は悪いが、ハンドルを一本にし、挟む機能を取り去り、ハンドルに装着した永久磁石だけで電池を扱うこともできる。
【発明の詳細な説明】
【技術分野】
【０００１】
本発明は、諸小型電子機器や補聴器などの為の小型電池を、指先が不自由な人でも容易に取り扱えるようにした工具に関するものである。
【背景技術】
【０００２】
現在、円盤状の小型電池は、腕時計、小型計算機、或いは補聴器など種々な用途に使用されており、多くの人によって取り扱われている。また、電池を十分に使い切る為に、種々の電池残量測定器は市販されている。市販の電池を機器に挿入し、適宜残量をチェックし、必要時に交換することが望ましい。この一連の手順を円滑に進めるための取扱い工具があれば、資源の有効活用にも資することができる。
【非特許文献１】東芝補聴器用空気電池チェッカー取扱説明書
【非特許文献２】リオン株式会社製リオネット電池チェッカー取扱説明書
【発明の開示】
【発明が解決しようとする課題】
【０００３】
本発明は、補聴器のような小型電子機器の電池は小さく、使用者特に年配者、視力の衰えた人或いは指の太い人などにとって、床に落とした場合に拾い上げたり、テーブルの上でさえ摘み上げるのに難儀するので、その問題解決のためになされたものである。
【課題を解決するための手段】
【０００４】
小型電池は、一般にプラス側は磁性体であり、永久磁石で引き寄せることができる。工具の両ハンドルの先端の挟み部及び片側ハンドルの面に永久磁石を埋め込み、ハンドルの磁石で、机上或いは床上の電池を手元に取り寄せ取る。これを指で摘み、ハンドル先端の磁石付きの挟み部の部分で挟み、使用機器或いは残量測定器の所定の受容部の上に運び、そこで電池を受容部に挿入する。
【０００５】
電池を挟む機構は、請求項１のピンセット式でも、ピボット軸でハンドルと挟み部を連結する鋏式のどちらも利用できる。  
【０００６】
工具は、年配者が不慮の接触で怪我をしないように、工具の全ての角は丸みを持たせる。
【０００７】
工具の電池を挟む幅を最小の電池に合わせておき、より大きい電池に対応するため、ハンドルが電池の径に対応する幅を確保できる様に、ハンドル間に弾性体或いはプラスチックのスペーサを咬ませる。
【０００８】
スペーサを安定させるため、片方或いは両方のハンドル内面にスペーサ止めを取り付ける。スペーサをハンドル間に嵌めたとき、スペーサ止めが外れないように、スペーサ及びスペーサ止めにノッチを付ける。但し、スペーサを安定させるために、ノッチ式でなくラッチ式、或いはこの用途に適した他の方法でもよい。  
【０００９】
ハンドルの先端の挟み部の内側、電池を掴む面は、掴みやすいように波状或いは網状の摩擦係数が高くなるギザギザ面とする。
【００１０】
工具をスペーサを咬ませる方法ではなく、各々の電池寸法に特定した固定寸法の工具にすることもできる。
【００１１】
簡素化するため、補聴器用の電池では使い勝手は悪いが、ハンドルを一本にし、挟む機能を取り去り、永久磁石だけで電池を扱うこともできる。なお、これは、狭いところに入り込んだ電池を取り出すのに便利である。
【発明の効果】
【００１２】
小型の電池をハンドルに設置した磁石で容易に取上ることができ、指先の不自由な人でも電池の取扱いが容易になる。  
【００１３】
工具は鋭角の角を全て丸みを持たせるので、誤って肌に触れても怪我することなく、使用者に優しい工具とする。
【００１４】
本発明によって電池の残量測定が容易になり、交換時期を正しく決めることができるので、安心して使用ができ、電池を十分使い終わらせることができ、省資源、省エネルギーに資することができる。
【００１５】
工具は掌に入る程度の大きさで、容易に携行ができ、ハンドルの連結部に穴を設けてあるので紐を通し、手或いは電池残量測定器と連結することで、持ちやすく、置き忘れ防止もできる。
【発明を実施するための最良の形態】
【００１６】
小型電池の＋極が磁性体であることに着目し、電池そのものに侵襲することなく、電池と挟む機能を組み合わせることにより、小型電池の扱い難いという難点を解決した。
【実施例１】
【００１７】
図１（Ａ）は、工具１０の側面図で、ハンドル２０の先端に突き出た形状の挟み部２４があり、他端は連結部２６でハンドル２０，２２が連結されている。挟み部２４及びハンドル２０に、各々シート状の電池保持用の永久磁石３２及び電池取り上げ用の永久電池３４を埋め込む。或いは、永久磁石を内側面に接着剤で固定することもできる。ハンドル本体はプラスチック等の非磁性体製とし、磁束を妨げない材料で成型する。工具１０の全長Ｌは、手が若干不自由な人でも扱える様に、平均的な掌の横幅程度にする。挟み部２４は、補聴器のような使用機器の受容部にアクセスし易いように幅を狭くする。
【００１８】
図１（Ｂ）は、工具１０の平面図で、２本のハンドル２０，２２が連結部２６で繋がっており、ハンドル２０の内側にはスペーサ止め２８があって、ハンドルの中間部にハンドルと一体化して成型される。電池を挟む挟み部２４の内側面３６は、電池を掴みやすいように細かい波状或いは網状のギザギザ面にする。電池を挟む幅Ｓ１は、ＪＩＳのＰＲ７０型のような小型電池の直径に約０．５ｍｍ〜１ｍｍ加えた寸法にする。この図で示すように、永久磁石３２，３４は、各々挟み部２４とハンドル２２の中に埋め込まれている。永久磁石をハンドル２０にも埋め込み、両面で使えるようにすることもできる。
【００１９】
図１（Ｃ）は、工具１０の背面図で、連結部２６に紐穴３０がある。  
【００２０】
図２は、市販の補聴器用の中型の電池に使うため、ハンドル２０，２２間にスペーサ４２を咬ませて、電池を挟む幅Ｓ２を形成する工具である。スペーサ止め２８がスペーサ４２を所定の位置に固定する。
【００２１】
図３は、市販の補聴器用の大型の電池に使うため、ハンドル２０，２２間にスペーサ４４を咬ませて、電池を挟む幅Ｓ３を形成する工具である。スペーサ止め２８がスペーサ４４を所定の位置に固定する。
【００２２】
図４（Ａ），（Ｂ）は、各々スペーサとスペーサ止めの側面図と平面図で、スペーサを嵌めたときの安定性を増進するため、スペーサ止めに切り込み４８を入れ、その切り込み４８部分に当たるスペーサの部分４６を除去し、スペーサがスペーサ止めに嵌るように成形する。
【００２３】
工具１０は、スペーサを使わない電池毎の幅を持った形状にすることができ、その場合、各々電池を挟む幅Ｓ１、Ｓ２，Ｓ３を持つ工具とし、その場合スペーサ止め２８は不要となるので、設けない。
【実施例２】
【００２４】
図５（Ａ）は、１本のハンドル５２で構成する工具５０の平面図である。一方の端は電池を装着する機器にアクセスし易いように長さＮがある突起部５４で、他端には紐穴５８を設ける。ハンドル５２は持ちやすいように突起部Ｎの幅Ｓより幅Ｗを大きくする。この形状は、電池の保持が不安定なので、補聴器用には不向きであるが、時計や小型電子機器用の電池を扱うのに便利である。特に、小型の電池が物の間の狭いところに転がり込んだような場合に取り出すのに便利である。永久磁石５６は、突起部から中間まで広く埋め込む。
【００２５】
図５（Ｂ）は、工具５０の側面図で、狭いところにも差し込めるよう、厚みＴＮを小さくする。
【００２６】
図１―５の何れの場合も、工具の角は、全て面取り、或いは丸めて使用者に危害を及ぼさないようにする。
【産業上の利用可能性】
【００２７】
工具の先端部の挟み部或いはハンドル部に取り付けた永久磁石で小型電池を引き寄せ、指で摘んで挟み部で電池を挟み、補聴器の電池受容部に電池を装着するような一連の作業が、指が若干不自由な人でも出来るようになる。
【図面の簡単な説明】
【００２８】
【図１】小型電池を掴む工具の概念の説明図である。（実施例１）
【図２】先端幅をやや広げた状態（同上）
【図３】先端幅をより広げた状態（同上）
【図４】先端幅を調節する機構（同上）
【図５】簡易型小型電池を拾い上げる工具の概念の説明図である。（実施例２）
【符号の説明】
【００２９】
１０    工具                        ２０    ハンドル
２２    ハンドル                    ２４    挟み部
２６    連結部                      ２８    スペーサ止め
３０    紐穴                        ３２    永久磁石
３４    永久磁石                    ３６    挟み部の内側面
４２    スペーサ                    ４４    スペーサ
４６    スペーサの削除部            ４８    スペーサ止めの切り込み
５０    工具                        ５２    ハンドル
５４    突起部                      ５６    永久磁石
５８    紐穴
【図１】
2008254176.tif 000003
【図２】
2008254176.tif 000004
【図３】
2008254176.tif 000005
【図４】
2008254176.tif 000006
【図５】
2008254176.tif 000007